(57)【要約】  【課題】断熱箱体外面の結露を防止しつつ庫内への熱侵入を最小限に抑制する。  【解決手段】断熱箱体１９と、圧縮機５と第一の凝縮器２２と流路切替弁２３と第二の凝縮器２４と減圧手段９と蒸発器１０とを機能的に環状に接続した第一の冷凍サイクル２５と、圧縮機５と第一の凝縮器２２と流路切替弁２３と第三の凝縮器２６と減圧手段９と蒸発器１０とを機能的に環状に接続した第二の冷凍サイクル２７と、冷媒の循環経路を第一の冷凍サイクル２５と第二の冷凍サイクル２７とに切り替える制御手段２８とを備え、第二の凝縮器２４は凝縮熱が断熱箱体１９の外面に伝熱するように配設された冷蔵庫。【選択図】図１
2009275964.tif 000002
【特許請求の範囲】
【請求項１】
断熱箱体と、圧縮機と第一の凝縮器と流路切替弁と第二の凝縮器と減圧手段と蒸発器とを機能的に環状に接続した第一の冷凍サイクルと、前記圧縮機と前記第一の凝縮器と前記流路切替弁と第三の凝縮器と前記減圧手段と前記蒸発器とを機能的に環状に接続した第二の冷凍サイクルと、冷媒の循環経路を前記第一の冷凍サイクルと前記第二の冷凍サイクルとに切り替える制御手段とを備え、前記第二の凝縮器は凝縮熱が前記断熱箱体の外面に伝熱するように配設された冷蔵庫。
【請求項２】
第三の凝縮器は、断熱箱体の外面以外に放熱するように配設された請求項１に記載の冷蔵庫。
【請求項３】
同等環境下の運転において、第一の冷凍サイクルの運転時の第二の凝縮器の内部に存在する冷媒量と、第二の冷凍サイクルの運転時の第三の凝縮器の内部に存在する冷媒量が同等である請求項１または２に記載の冷蔵庫。
【請求項４】
外気温度検出手段を設け、前記外気温度検出手段の検出する温度に連動して流路切替弁の流路を切り替える請求項１から３のいずれか一項に記載の冷蔵庫。
【請求項５】
外気湿度検出手段を設け、前記外気湿度検出手段の検出する湿度に連動して流路切替弁の流路を切り替える請求項１から４のいずれか一項に記載の冷蔵庫。
【請求項６】
庫内温度検出手段を設け、前記庫内温度検出手段の検出する湿度に連動して流路切替弁の流路を切り替える請求項１から５のいずれか一項に記載の冷蔵庫。
【発明の詳細な説明】
【技術分野】
【０００１】
本発明は、凝縮器により外面の結露を防止するとともに、凝縮器の熱による負荷の低減により省エネルギー化を図る冷蔵庫に関するものである。
【背景技術】
【０００２】
冷蔵庫に省エネルギーが求められるようになって久しいが、現在でも省エネルギー競争は激しく、圧縮機の効率向上、断熱箱体の断熱性能向上などにより省エネルギーが図られている。そのような中、断熱箱体外面の結露を凝縮器の熱により抑制する冷蔵庫において、凝縮器の熱が庫内に侵入することによる熱負荷を低減する冷蔵庫が提案されている（特許文献１）。
【０００３】
以下、図面を参照しながら上記従来の冷蔵庫を説明する。
【０００４】
図４は従来の冷蔵庫の冷却システムのシステム図であり、図５は従来の冷蔵庫の第二の凝縮器の配管引き回しを示す斜視図である。
【０００５】
図４、図５において、断熱箱体１は、内箱２と外箱３との間に断熱材（図示せず）を充填することにより構成されている。
【０００６】
冷凍サイクル４は、圧縮機５、第一の凝縮器６、流路切替弁である三方弁７、外箱３と断熱材の間に埋設された第二の凝縮器８、減圧手段であるキャピラリーチューブ９、蒸発器１０を機能的に環状に接続した第一の冷凍サイクル１１と、圧縮機５、第一の凝縮器６、三方弁７、バイパス配管１２、キャピラリーチューブ９、蒸発器１０を機能的に環状に接続した第二の冷凍サイクルとから構成されている。
【０００７】
また、この冷蔵庫には、三方弁７を作動させる制御手段１４、断熱箱体１の開口部の温度を検出する開口部温度センサー１５及び外気温度を検出する外気温度センサー１６を備えている。
【０００８】
そして冷却運転中において、開口部温度センサー１５と外気温度センサー１６の検出する温度によって、制御手段１４が冷媒を第二の凝縮器８に流す時間を設定し、この設定された時間だけ冷媒を第二の凝縮器８へと流し、その後バイパス配管１２に流すように三方弁７を動作させる。
【０００９】
これにより、第二の凝縮器８の放熱により、開口部が必要以上に加熱されることを防止でき、冷蔵庫内への熱の侵入を抑制することにより、効率の高い冷蔵庫とすることができた。
【特許文献１】特開２００４−９２９３９号公報
【発明の開示】
【発明が解決しようとする課題】
【００１０】
しかしながら、上記従来の構成では、第二の冷却サイクル１３は、第一の冷却サイクル１１にくらべ、第二の凝縮器８がバイパス配管１２に置き換えられた状態となり、凝縮能力が小さく、配管内容積も小さくなってしまう。
【００１１】
従って、凝縮能力が小さいことにより、冷凍サイクルの冷凍能力も小さくなってしまい、外気温度が高いなど、負荷が大きい時には能力不足となり、庫内温度が上昇してしまう恐れがあった。
【００１２】
本発明は、上記従来の課題を解決するもので、第二の凝縮器に冷媒を流さない時にも凝縮能力が低下しない冷蔵庫を提供することを目的とする。
【００１３】
また、上記従来の構成では、第二の冷凍サイクル１３で運転している時には、システム配管内容積に対して冷媒量が多くなり、余剰冷媒が圧縮機５に液冷媒のまま吸い込まれ、液冷媒を圧縮することにより圧縮機５が故障したり、大きな音が鳴ったりして使用者に不快感を与えてしまう恐れがあった。
【００１４】
本発明の他の目的は、第一の冷凍サイクル１１と第二の冷凍サイクル１３の同等環境下での冷媒分布を等しくして、液冷媒を圧縮機５が吸い込まない冷蔵庫を提供することである。
【課題を解決するための手段】
【００１５】
上記従来の課題を解決するために、本発明の冷蔵庫は、断熱箱体と、圧縮機と第一の凝縮器と流路切替弁と第二の凝縮器と減圧手段と蒸発器とを機能的に環状に接続した第一の冷凍サイクルと、圧縮機と第一の凝縮器と流路切替弁と第三の凝縮器と減圧手段と蒸発器とを機能的に環状に接続した第二の冷凍サイクルと、冷媒の循環経路を第一の冷凍サイクルと第二の冷凍サイクルとに切り替える制御手段とを備え、第二の凝縮器は凝縮熱が断熱箱体の外面に伝熱するように構成されている。
【００１６】
これによって、第二の凝縮器に冷媒を流さない時にも凝縮能力を保つことができ、冷凍能力の低下を防ぐことができる。
【００１７】
また、本発明の冷蔵庫は、第三の凝縮器は、断熱箱体の外面以外に放熱するように構成されている。
【００１８】
これによって、第二の凝縮器に冷媒を流さない時は、凝縮器の熱が庫内へ侵入することはなく、冷蔵庫の負荷を低減することができる。
【００１９】
また、本発明の冷蔵庫は、同等環境下の運転において、第一の冷凍サイクルの運転時の第二の凝縮器の内部に存在する冷媒量と、第二の冷凍サイクルの運転時の第三の凝縮器の内部に存在する冷媒量が同等となるように構成されている。
【００２０】
これによって、第二の冷凍サイクルの運転時にも冷媒量が過剰となることはなく、液冷媒が圧縮機に吸い込まれるのを防止することができる。
【００２１】
また、本発明の冷蔵庫は、外気温度検出手段を設け、外気温度検出手段の検出する温度に連動して流路切替弁の流路を切り替えるように構成されている。
【００２２】
これによって、その時の外気温度に応じて断熱箱体の外面温度を最適に変えることができ、断熱箱体の外面が必要以上に加熱されるのを防止することができる。
【００２３】
また、本発明の冷蔵庫は、外気湿度検出手段を設け、外気湿度検出手段の検出する湿度に連動して流路切替弁の流路を切り替えるように構成されている。
【００２４】
これによって、その時の外気湿度に応じて断熱箱体の外面温度を最適に変えることができ、断熱箱体の外面が必要以上に加熱されるのを防止することができる。
【００２５】
また、本発明の冷蔵庫は、庫内温度検出手段を設け、庫内温度検出手段の検出する湿度に連動して流路切替弁の流路を切り替えるように構成されている。
【００２６】
これによって、ドア開閉後や電源投入初期など、庫内温度が高く断熱箱体の外面に結露が生じにくい時には第二の凝縮器に冷媒を流す時間を短くし、断熱箱体の外面が必要以上に加熱されるのを防止することができる。
【発明の効果】
【００２７】
本発明の冷蔵庫は、第二の凝縮器に必要以上に冷媒を流さないとともに、第二の凝縮器をバイパスする際に、凝縮器能力及びシステム内容積を変えないことにより、冷凍能力の低下及び圧縮機への液冷媒の流入を防ぐことができる。
【発明を実施するための最良の形態】
【００２８】
請求項１に記載の冷蔵庫は、断熱箱体と、圧縮機と第一の凝縮器と流路切替弁と第二の凝縮器と減圧手段と蒸発器とを機能的に環状に接続した第一の冷凍サイクルと、圧縮機と第一の凝縮器と流路切替弁と第三の凝縮器と減圧手段と蒸発器とを機能的に環状に接続した第二の冷凍サイクルと、冷媒の循環経路を第一の冷凍サイクルと第二の冷凍サイクルとに切り替える制御手段とを備え、第二の凝縮器は凝縮熱が断熱箱体の外面に伝熱するように配設されたので、第二の凝縮器に冷媒を流さない時にも凝縮能力を保つことができ、冷凍能力の低下を防ぐことができるため、冷却性能の高い冷蔵庫とすることができる。
【００２９】
請求項２に記載の冷蔵庫は、第三の凝縮器は、断熱箱体の外面以外に放熱するように配設されたので、第二の凝縮器に冷媒を流さない時は、凝縮器の熱が庫内へ侵入することはなく、冷蔵庫の負荷を低減することができるため、効率の高い冷蔵庫とすることができる。
【００３０】
請求項３に記載の冷蔵庫は、同等環境下の運転において、第一の冷凍サイクルの運転時の第二の凝縮器の内部に存在する冷媒量と、第二の冷凍サイクルの運転時の第三の凝縮器の内部に存在する冷媒量が同等であるように構成されているので、第二の冷凍サイクルの運転時にも冷媒量が過剰となることはなく、液冷媒が圧縮機に吸い込まれるのを防止することができるため、圧縮機が液冷媒を吸い込むことによる圧縮機の破損や音を防止でき、信頼性が高く、音による使用者の不快感が無く品位の高い冷蔵庫とすることができる。
【００３１】
請求項４に記載の冷蔵庫は、外気温度検出手段を設け、外気温度検出手段の検出する温度に連動して流路切替弁の流路を切り替えるので、その時の外気温度に応じて断熱箱体の外面温度を最適に変えることができ、断熱箱体の外面が必要以上に加熱されるのを防止することができるため、庫内への熱侵入が抑制され、効率の高い冷蔵庫とすることができる。
【００３２】
請求項５に記載の冷蔵庫は、外気湿度検出手段を設け、外気湿度検出手段の検出する湿度に連動して流路切替弁の流路を切り替えるので、その時の外気湿度に応じて断熱箱体の外面温度を最適に変えることができ、断熱箱体の外面が必要以上に加熱されるのを防止することができるため、庫内への熱侵入が抑制され、効率の高い冷蔵庫とすることができる。
【００３３】
請求項６に記載の冷蔵庫は、庫内温度検出手段を設け、庫内温度検出手段の検出する湿度に連動して流路切替弁の流路を切り替えるので、ドア開閉後や電源投入初期など、庫内温度が高く断熱箱体の外面に結露が生じにくい時には第二の凝縮器に冷媒を流す時間を短くし、断熱箱体の外面が必要以上に加熱されるのを防止することができるため、庫内への熱侵入が抑制され、効率の高い冷蔵庫とすることができる。
【００３４】
以下、本発明の実施の形態について、図面を参照しながら説明する。なお、この実施の形態によってこの発明が限定されるものではない。
【００３５】
また、従来と同一構成についてはその動作、作用は同様であり、説明を省略する。
【００３６】
（実施の形態１）
図１は本発明の実施の形態１による冷蔵庫の冷凍サイクルのサイクル図、図２は同実施の形態の冷蔵庫の第二の凝縮器の配管引き回しを示す斜視図であり、図３は同実施の形態の冷蔵庫の背面図である。
【００３７】
図１から図３において、内箱１７、外箱１８の間に断熱材（図示せず）を充填した断熱箱体１９からなる冷蔵庫は、背面に機械室２０を備え、冷凍サイクル２１により庫内が冷却されている。
【００３８】
冷凍サイクル２１は、圧縮機５、第一の凝縮器２２、三方弁２３、第二の凝縮器２４、キャピラリーチューブ９、蒸発器１０を機能的に環状に接続した第一の冷凍サイクル２５と、圧縮機５、第一の凝縮器２２、流路切替弁である三方弁２３を示す。また、第三の凝縮器２６、減圧手段であるキャピラリーチューブ９を示し、蒸発器１０を機能的に環状に接続した第二の冷凍サイクル２７とから構成されており、機械室２０内部に圧縮機５、第一の凝縮器２２、第三の凝縮器２６を収納するとともに、外箱１８と断熱材の間に第二の凝縮器２４を埋設している。
【００３９】
また、この冷蔵庫には、三方弁２３を作動させる制御手段２８、外気温度及び湿度を検出する外気温度検出手段および外気湿度検出手段である外気温湿度センサー２９を示す。また、庫内温度を検出する庫内温度検出手段である庫内温度センサー３０を備えている。
【００４０】
本実施の形態では、冷蔵庫は温度が約１〜５℃の冷蔵室３１と温度が約−２０〜−１８℃の冷凍室３２を備え、庫内温度センサー３０は冷凍室に設置している。
【００４１】
そして冷却運転中において、外気温湿度センサー２９の検出した温度Ｔａと湿度Ｈａから断熱箱体１９の外面が結露しない温度Ｔｓを計算するとともに、庫内温度センサー３０の検出した温度Ｔｉから、断熱箱体１９の外面をＴｓ以上に保つために必要な第二の凝縮器２４に冷媒を流す時間ｔ１と第３の凝縮器に冷媒を流す時間ｔ２を計算する。
【００４２】
そして、ｔ１とｔ２の時間割合で第二の凝縮器２４と第三の凝縮器２６に交互に冷媒を流すことによって庫内への侵入熱を最低に抑制しつつ断熱箱体１９の外面への結露を防止することができる。
【００４３】
従って、負荷量を小さくすることができ、効率の高い冷蔵庫とすることができる。
【００４４】
また、本実施の形態においては、第三の凝縮器２６は第二の凝縮器２４と同等の能力が出るように外表面積を大きくしている。
【００４５】
これにより、第二の冷凍サイクル２７で運転している時も、第一の冷凍サイクル２５で運転している時と同じ凝縮能力が得られ、冷凍能力も同等とすることができる。従って、冷却性能の高い冷蔵庫とすることができる。
【００４６】
また、本実施の形態においては、第三の凝縮器２６は機械室内に設置している。これにより、断熱箱体１９の外面に伝熱しているときと比べ、庫内に侵入する熱量を低減することができる。従って、負荷量を小さくすることができ、効率の高い冷蔵庫とすることができる。
【００４７】
また、本実施の形態においては、同等環境下で第二の凝縮器２４の内部に存在する冷媒量と、第三の凝縮器２６の内部に存在する冷媒量を等しくしている。
【００４８】
これにより、第二の冷凍サイクル２７で運転している時に冷媒量が過剰となり圧縮機５が液冷媒を吸い込むことはない。従って、圧縮機５の故障を防ぐとともに、音による使用者の不快感を無くすことができ、信頼性が高く品位の高い冷蔵庫とすることができる。
【００４９】
尚、本実施の形態において、第二の凝縮器２４は冷蔵室周囲と冷凍室周囲で一本としたが、冷蔵室周囲の凝縮器と冷凍室周囲の凝縮器に分けてそれぞれをバイパスするバイパス凝縮器を設けて各室内温度で制御することにより、さらに庫内に侵入する熱量を低減することができるが、切替弁が増えるなどコストアップとなってしまう。
【００５０】
また、本実施の形態において、庫内温度センサー３０の位置は特に規定しなかったが、断熱箱体１９の外面の結露に関係する、より温度の低い部屋の中に設置することが必要であり、ドア開閉などにより複数の部屋の温度が変化する冷蔵庫においては、それぞれの部屋にセンサーを設置し、より低い部屋の温度を検出値として使用することが望ましい。
【００５１】
また、本実施の形態において、第三の凝縮器２６は、第一の凝縮器２２と同様に機械室２０に設置すると説明したが、これらの凝縮器をファンを用いて放熱促進する場合は、風上側に第三の凝縮器２６を設置した方が対向流となり、凝縮能力を高くすることができるので、第三の凝縮器２６を小型化できるというメリットがある。
【００５２】
また、本実施の形態において、ｔ１とｔ２を加えて求められる切り替えの時間周期は特に規定しなかったが、時間周期をできるだけ短くすることにより庫内への熱侵入が抑制され、冷蔵庫の効率を高くすることができるが、切り替えてから冷媒の流れが安定するまでにある程度時間がかかることから、切り替えによるロスが発生するため、適当な時間周期で切り替えることが望ましい。
【産業上の利用可能性】
【００５３】
以上のように、本発明にかかる冷蔵庫は、断熱箱体の外面の結露を防止する凝縮器を設けている機器であれば、外表面温度を一定温度以上確保できる機器にも適用することが出来る。
【図面の簡単な説明】
【００５４】
【図１】本発明の実施の形態１による冷蔵庫の冷凍サイクルのサイクル図
【図２】本発明の実施の形態１による冷蔵庫の第二の凝縮器の配管引き回しを示す斜視図
【図３】本発明の実施の形態１による冷蔵庫の背面図
【図４】従来の冷蔵庫の冷却システムのシステム図
【図５】従来の冷蔵庫の第二の凝縮器の配管引き回しを示す斜視図
【符号の説明】
【００５５】
５    圧縮機
９    キャピラリーチューブ（減圧手段）
１０  蒸発器
１９  断熱箱体
２２  第一の凝縮器
２３  三方弁（流路切替弁）
２４  第二の凝縮器
２５  第一の冷凍サイクル
２６  第三の凝縮器
２７  第二の冷凍サイクル
２８  制御手段
２９  外気温湿度センサー（外気温度検出手段および外気湿度検出手段）
３０  庫内温度センサー（庫内温度検出手段）
【図２】
2009275964.tif 000003
【図３】
2009275964.tif 000004
【図４】
2009275964.tif 000005
【図５】
2009275964.tif 000006
【図１】
2009275964.tif 000007